(57)【要約】【課題】構成部品が少なく、かつ着脱自在なビデオカメラ用肩当部材が必要だった。【解決手段】本体と、前記本体と着脱可能な肩当部材を有し、前記本体の後端下面に底面から上方に傾斜した斜面を有し、前記斜面上に設けられた第１の凹部と、前記第１の凹部と略直交した第２の凹部を前記第１の凹部近傍に有し、前記肩当部材には前記斜面と当接する肩当側斜面部を有し、前記本体側に有している第１及び第２の凹部に係合する第１と第２の凸部を有し、前記第１と第２の凸部の間が弾性部材で構成されている。【選択図】図１
2019139038.tif 000002
【特許請求の範囲】
【請求項１】
本体と、前記本体と着脱可能な肩当部材を有した撮像装置に於いて、
前記本体の後端下面に底面から上方に傾斜した斜面を有し、
前記斜面上に設けられた第１の凹部と、前記第１の凹部と直交した第２の凹部を前記第１の凹部近傍に有し、
前記肩当部材には前記斜面と当接する肩当側斜面部を有し、前記本体側に有している第１及び第２の凹部に係合する第１と第２の凸部を有し、前記第１と第２の凸部の間が弾性部材で構成されていることを特徴とする撮像装置。
【請求項２】
請求項１に記載の撮像装置に於いて、前記本体部の後端かつ前記斜面の上方に電池取付け部を有し、前記電池取付け部に取り付けられた電池と前記肩当部材の間に指挿入隙間部を有していることを特徴とする撮像装置。
【請求項３】
請求項１に記載の撮像装置に於いて、前記肩当部材の底面と上面の間に緩衝穴部を有していることを特徴とする撮像装置。
【請求項４】
請求項１に記載の撮像装置に於いて、前記肩当部材の後端に凹または穴部を有していることを特徴とする撮像装置。
【発明の詳細な説明】
【技術分野】
【０００１】
本発明はビデオカメラの肩当構造に関するものである。
【背景技術】
【０００２】
ビデオカメラの撮影補助手段として特許文献１のような肩当の提案がなされている。
【先行技術文献】
【特許文献】
【０００３】
【特許文献１】特開２０１４−３８２２１号公報
【発明の概要】
【発明が解決しようとする課題】
【０００４】
しかしながら、特許文献１の肩当は構成部品点数が多く、さらに着脱が自在ではない
という問題があった。
【課題を解決するための手段】
【０００５】
本発明の撮像装置は本体と、前記本体と着脱可能な肩当部材を有し、前記本体の後端下面に底面から上方に傾斜した斜面を有し、前記斜面上に設けられた第１の凹部と、前記第１の凹部と略直交した第２の凹部を前記第１の凹部近傍に有し、前記肩当部材には前記斜面と当接する肩当側斜面部を有し、前記本体側に有している第１及び第２の凹部に係合する第１と第２の凸部を有し、前記第１と第２の凸部の間が弾性部材で構成されていることを特徴としている。
【発明の効果】
【０００６】
以上説明したように、構成する部品点数を少なく、かつ着脱自在なビデオカメラ用肩当部材を実現することが可能である。
【図面の簡単な説明】
【０００７】
【図１】デジタルビデオカメラ１０１の外観図。
【図２】デジタルビデオカメラ１０１の底面側斜視図。
【図３】デジタルビデオカメラ１０１と肩当部材１０７の位置関係別模式図。
【図４】デジタルビデオカメラ１０１を使用者４０１が把持して撮影している模式図。
【図５】デジタルビデオカメラ１０１の後ろ面側斜視図。
【図６】肩当部材１０７及び延長部材６０１の斜視図。
【発明を実施するための形態】
【０００８】
＜第１の実施形態＞
図１（ａ）に本実施例におけるデジタルビデオカメラ１０１の外観図を示す。以降の説明に用いる前後上下左右は図示の座標系ｘｙｚ１０２に則る。ｘ方向の矢印方向が前、矢印と反対方向が後、ｙ方向の矢印方向が上、矢印と反対方向が下、ｚ方向の矢印方向が右、矢印と反対方向が左とする。  デジタルビデオカメラ１０１は使用用途によって全体を斜めにすることなどがあるが、本実施例における説明はもっとも使用頻度が高い姿勢である図１の標準的な姿勢（正位置）での説明となる。
【０００９】
本実施例におけるデジタルビデオカメラ１０１は一般的な業務用ビデオカメラと同様、レンズ部１０３に内蔵された撮像レンズからの情報を図示しない撮像素子に結像し、本体部１０４に備えられた記録部への撮像情報の記録や、表示部１０５への表示などを行う機器である。結像や記録、表示に関する説明は本発明の趣旨と関連性が低いため、説明は割愛する。
【００１０】
デジタルビデオカメラ１０１は図の通り本体部１０４の後ろ下面に斜面１０６を有している。図１（ｂ）は図１（ａ）の状態に肩当部材１０７を取り付けた状態の外観斜視図を示す。
【００１１】
デジタルビデオカメラ１０１の斜面１０６に肩当部材１０７を取り付ける目的効果に関しては後述する。図１（ｃ）は肩当部材１０７の斜視図を示す。
【００１２】
肩当部材１０７の前側には肩当側斜面部１０８が図の通り設けられ、その肩当側斜面部１０８の略中央に上下方向に形成された円筒状の第１係合部１０９を有している。肩当側斜面部１０８上の第１係合部１０９の後ろ側には第２係合部右側１１０と第２係合部左側１１１がそれぞれ設けられている。肩当側斜面部１０８の後方上面には凹溝１１２が形成され、その下部に緩衝穴部１１３が左右に貫通した穴状に設けられている。
【００１３】
肩当部材１０７は熱可塑性エラストマーなどの弾性部材で構成された単一の部材である。
【００１４】
緩衝穴部１１３が存在することによって、肩当部材１０７に外力が加わった際、緩衝穴部１１３が潰れることによって緩衝効果を得ることが可能に構成されている。
【００１５】
第１係合部１０９、第２係合部右側１１０、第２係合部左側１１１、凹溝１１２、緩衝穴部１１３の用途・効果に関しては後述する。
【００１６】
図２にデジタルビデオカメラ１０１の底面側斜視図を示す。図２（ａ）は図１（ａ）の、図２（ｂ）は図１（ｂ）のそれぞれ斜視図に対応している。デジタルビデオカメラ１０１の斜面１０６略中央には第１凹み穴部２０１が図の通り配置され、その後ろ側に第２凹み穴部右側２０２及び第２凹み穴部左側２０３を有している。
【００１７】
図２（ｂ）のＡ−Ａ断面におけるデジタルビデオカメラ１０１と肩当部材１０７の位置関係別模式図を図３に示す。
【００１８】
前記位置関係とはそれぞれ、図３（ａ）は肩当部材１０７が斜面１０６に取り付く直前の位置関係、図３（ｂ）は第１係合部１０９のみが第１凹み穴部２０１と係合している位置関係、図３（ｃ）はすべての係合がなされている状態の位置関係を示す。この図３（ａ）から（ｂ），（ｂ）から（ｃ）への遷移は、デジタルビデオカメラ１０１に対し肩当部材１０７を取り付ける動作の過程順を追っている。
【００１９】
斜面１０６に対し、図３（ａ）のように肩当部材１０７の前側を上に傾け、第１係合部１０９を第１凹み穴部２０１に向かうような方向で肩当部材１０７を近づける。
【００２０】
次いで、第１係合部１０９を下方向から第１凹み穴部２０１に図３（ｂ）のように係合させつつ、第１係合部１０９と第２係合部右側１１０の間の弾性変形部３０１が図の通り曲げる。肩当部材１０７が剛体の場合、第１係合部１０９を第１凹み穴部２０１に入れようとすると第２係合部右側１１０が第２凹み穴部右側２０２下側に当たり、肩当部材１０７を取り付けることができない。本実施例では肩当部材１０７全体が弾性部材の単一部品で構成されていることは前述の通りだが、本発明が適用できる実施形態はこの限りではない。第１係合部１０９と第２係合部右側１１０の間が弾性的に変形可能であれば、同様の効果を得られることは言うまでもない。
【００２１】
弾性変形部３０１が曲がることで第２係合部右側１１０が第２凹み穴部右側２０２に入り、図３（ｃ）の状態で取り付けが完了する。本実施例では第１係合部１０９内に図の通り脱落防止ビス３０２によって第１凹み穴部２０１と締結することで、デジタルビデオカメラ１０１から肩当部材１０７が容易に脱落しないように補助的に固定が可能に構成されている。
【００２２】
また斜面１０６と肩当側斜面部１０８が密着することによって、肩当部材の底面３０３がデジタルビデオカメラ１０１の最底面から突出することなく肩当部材１０７を構成可能である。
【００２３】
次に図４を用いて肩当部材１０７の目的効果について説明する。図４にデジタルビデオカメラ１０１を使用者４０１が把持して撮影している模式図を示す。
【００２４】
使用者４０１は一般的なビデオカメラと同様に右手４０２で本体部１０４を把持する。ある程度重量を有する業務用ビデオカメラの場合、さらにレンズ部１０３を左手４０３で支える。そして後ろ側の表示部１０５の右側面側とこめかみ４０４を当接させるとともに、右肩４０５に肩当部材１０７を当接させることで、右手４０２・左手４０３・こめかみ４０４・右肩４０５の４点で支持することが可能になる。図によれば右肩４０５の前方に当接しているが、右肩４０５の上側に乗せることで、いわゆる肩乗せカメラとして使用するなどしてもよい。右肩４０５に当接ないしは乗せる際に緩衝穴部１１３によって肩当部材１０７全体が右肩４０５に形状が倣う効果も有している。
【００２５】
次にその他の機能について図５を用いて説明する。図５にデジタルビデオカメラ１０１の後ろ面側斜視図を示す。
【００２６】
デジタルビデオカメラ１０１の後ろ面かつ肩当部材１０７の上側にはバッテリー５０１が着脱可能に配置されている。着脱方法などについては、一般的なビデオカメラと同様であるため本実施例では割愛する。バッテリー５０１は着脱の際に上下部を掴むなどすることが多く、肩当部材１０７の上面側の凹溝１１２があることによって、掴みやすく構成されている。また、肩当部材１０７の後ろ面側には連結穴５０２が図の通り形成されている。
【００２７】
図６を用いて連結穴５０２の用途について説明する。図６は肩当部材１０７及び延長部材６０１の斜視図を示す。
【００２８】
肩当部材１０７の連結穴５０２にそれぞれ係合する係合ボス６０２が延長部材６０１に形成され、図６（ｂ）のように肩当部材１０７は延長部材６０１によって後方に延長された形になる。肩当部材１０７が弾性部材で構成されている場合、連結穴５０２と係合ボス６０２を圧入になる寸法で構成することで延長部材６０１の脱落は防止することが可能である。
【符号の説明】
【００２９】
１０１  ・・・・  デジタルビデオカメラ
１０２  ・・・・  座標系ｘｙｚ
１０３  ・・・・  レンズ部
１０４  ・・・・  本体部
１０５  ・・・・  表示部
１０６  ・・・・  斜面
１０７  ・・・・  肩当部材
１０８  ・・・・  肩当側斜面部
１０９  ・・・・  第１係合部
１１０  ・・・・  第２係合部右側
１１１  ・・・・  第２係合部左側
１１２  ・・・・  凹溝
１１３  ・・・・  緩衝穴部
２０１  ・・・・  第１凹み穴部
２０２  ・・・・  第２凹み穴部右側
２０３  ・・・・  第２凹み穴部左側
３０１  ・・・・  弾性変形部
３０２  ・・・・  脱落防止ビス
４０１  ・・・・  使用者
４０２  ・・・・  右手
４０３  ・・・・  左手
４０４  ・・・・  こめかみ
４０５  ・・・・  右肩
５０１  ・・・・  バッテリー
５０２  ・・・・  連結穴
６０１  ・・・・  延長部材
６０２  ・・・・  係合ボス
３０３  ・・・・  肩当部材の底面
【図１】
2019139038.tif 000003
【図２】
2019139038.tif 000004
【図３】
2019139038.tif 000005
【図４】
2019139038.tif 000006
【図５】
2019139038.tif 000007
【図６】
2019139038.tif 000008